(57)【要約】【課題】  従来の飲料水の浄化を主目的とするものに比べ、積極的に健康に有益な飲料水に改質することを目的とする。【解決手段】  医王石層５を主要層とし、マイナスイオン発生セラミック層６及びカーボン層７を順次配列したことを特徴とする飲料水用フィルターである。医王石層５は緑色医王石５Ａ層と赤色医王石５Ｂ層とし、その重量比率を２対１とすることが好適であり、又マイナスイオン発生セラミックがトルマリン又は／及び長石を主原料とするものが好ましい。【選択図】  図１
2005161281.tif 000002
【特許請求の範囲】
【請求項１】
医王石層を主要層とし、マイナスイオン発生セラミック層及びカーボン層を順次配列して成ることを特徴とする飲料水用フィルター。  
【請求項２】
医王石層が緑色医王石層と赤色医王石層で構成される請求項１記載の飲料水用フィルター。
【請求項３】
緑色医王石層と赤色医王石層の重量比率が２対１である請求項２記載の飲料水用フィルター。
【請求項４】
マイナスイオン発生セラミックがトルマリン又は／及び長石を主原料とする請求項１、２又は３記載の飲料水用フィルター。
【発明の詳細な説明】
【技術分野】
【０００１】
本発明は、主として飲料水に用いられる水道水等の浄化や改質或いは活性化させるフィルターに関するものである。
【背景技術】
【０００２】
飲料水のための浄化や活性化を図る目的で、飲料水の流路中に充填した濾材等を配置し、通過又は接触させて浄化等を行うことが知られている。
そして、濾過材として石英斑岩、トルマリン、医王石、麦飯石やシリカブラックを用いると良いことも知られている。
【０００３】
石英斑岩は遠赤外線エネルギーやマイナスイオンを発生する多孔性の活性岩で、液体のクラスターを小さくする作用を有し、トルマリンも遠赤外線作用、マイナスイオン効果、液体のクラスターを小さくする作用を奏し、又医王石は水の浄化作用、ミネラルの水中溶出作用、血液循環促進作用を有し、麦飯石は多孔性が優れ強い吸着力を持ち、更にシリカブラックは除菌作用等を奏すると言われているのである。
【０００４】
これらの鉱石は粉体として用いる場合もあるけれど、多孔質セラミックの表面に前記鉱石の焼結層を形成したり、スポンジに泥水を含浸させて焼結したり、或いは微粉末化した前記鉱石にバインダとして粘土を混合し圧縮形成して焼結すること等が提案されている。      
【特許文献１】特開２００３ー１４４８２０
【特許文献２】特開２００２ー３０１４８２
【特許文献３】特開２０００ー９３９５０
【特許文献４】特開平６ー２１８３８１
【発明の開示】
【発明が解決しようとする課題】
【０００５】
本発明は、従来の飲料水の浄化を主目的とするものに比べ、積極的に健康に有益な飲料水に改質することを目的とした飲料水用フィルターを提供せんとするものである。
【課題を解決するための手段】
【０００６】
本発明は、医王石層を主要層とし、マイナスイオン発生セラミック層及びカーボン層を順次配列したことを特徴とする飲料水用フィルターである。
医王石層は緑色医王石層と赤色医王石層とし、その重量比率を２対１とすることが好適であり、又マイナスイオン発生セラミックがトルマリン又は／及び長石を主原料とするものが好ましい。
【０００７】
医王石は水の浄化作用や特に含有ミネラルの水中溶出作用に優れ、有益なミネラル分を水に供給するのであり、粉砕した適宜粒で用いる。
又、医王石には緑色、赤色と黒色の種類があり、基本的な成分構成に大差はないけれど、緑色医王石を通した水の匂いにクセがあるため、赤色医王石を通すことで融和させることができる。
そして、マイナスイオンの発生により、水に電気分解が生じ還元水となると共に、弱アルカリ性のクラスターの細かい水となるのであり、異種のセラミックを用いることで、その原料鉱石の他の効能も期待できるのである。更に、カーボン層を通過することで消臭、殺菌作用を行うものである。
【発明の効果】
【０００８】
本発明は、飲料水を医王石層、マイナスイオン発生セラミック層及びカーボン層を順次通過させるものであるため、各々の層で確実に水の浄化、改質を行うことができる効果を有するものである。
そして、各層に独立分割していることは、各層の厚さの設定・改変を容易に行える利点があり、目的に応じた望みのマイナスイオン・ミネラル水を得られる効果を有する。
【０００９】
又、含有するミネラルの溶出を目的とする医王石層は、医王石をそのまま用いた方が自然で好ましく、水の活性化に役立ち、一方、マイナスイオンの放出については、セラミックに加工して用い、安定した効率的な発生を維持する効果を得るものである。
【発明を実施するための最良の形態】
【００１０】
本発明の一実施の形態を図面に基づいて説明する。
図１は本発明の一実施の形態を示すフィルターの断面図であり、フィルターの容器１内を矢印Ａの方向へ水が流れ、入口２から出口３間の容器１内にはセディメントフィルター４Ａ、４Ｂ、４Ｃ…を介して医王石層５、マイナスイオン発生セラミック層６及びカーボン層７が順次配設してある。
【００１１】
医王石層５とマイナスイオン発生セラミック層６及びカーボン層７の重量比率は、９対１対１である。医王石層５の医王石は自然石を砕いたものを使用し、マイナスイオン発生セラミック層６のセラミックは球状に成形したもの、又カーボン層７はカーボン粉末を用いているため、容器１内での占有比率は６対２対１と成っている。
【００１２】
医王石層５は、更にセディメントフィルター４Ｂを介して入口２側の緑色医王石５Ａ層と、出口３側の赤色医王石５Ｂ層の二層で、２対１の重量比率で構成している。
緑色医王石５Ａは荒目に砕いた粒、赤色医王石５Ｂは細かい粒に砕いてある。
【００１３】
緑色医王石５Ａの成分は表１の通りであり、又赤色医王石５Ｂの成分は表２の通りであった。
【表１】
2005161281.tif 000003
【表２】
2005161281.tif 000004
【００１４】
緑色医王石５Ａは石英閃緑岩・緑石凝灰岩・蛇文岩系に、赤色医王石５Ｂは石英斑岩系や赤石系で、硬度・比重等も異なるけれど、多孔質に富み、良質の多種元素が豊富で活性度が高く、いずれも水質改善に優れているものである。
【００１５】
マイナスイオン発生セラミック層６には、トルマリンを主原料とするセラミック６Ａと長石を主原料とするセラミック６Ｂが混在して封入してある。
トルマリンを主原料とするセラミック６Ａは、トルマリンを微粉末化したトルマリン鉱石とバインダ（粘土）を混合して球状に圧縮形成して焼結したものである。
【００１６】
又、長石を主原料とするセラミック６Ｂは、長石及びケイ石を微粉末にしてバインダ（粘土）と共に混合し、球状に圧縮形成して焼結したものであり、焼結した成分分析は表３の通りであった。
【表３】
2005161281.tif 000005
【００１７】
図２は、本発明のフィルターを利用した浄水システムの一例を示すブロック図であり、原水（水道水）８をセディメントフィルター４Ｆ、カーボンフィルター９及び逆浸透膜フィルター１０に通して純水１１を得、この純水１１を更に本発明のフィルターの容器１、紫外線フィルター１２に通して貯水タンク１３に貯留する構成とするものである。
【００１８】
このようにして、貯水タンク１３に得られた浄化水の分析結果は表４の通り、有益元素に富んだ水と成り、水質基準にも適した飲料水であった。
【表４】
2005161281.tif 000006
【図面の簡単な説明】
【００１９】
【図１】本発明のフィルターの一実施例を示す断面図である。
【図２】本発明のフィルターを利用した浄水装置の一例を示すブロック図である。
【符号の説明】
【００２０】
１  フィルター容器
２  入口
３  出口
４Ａ、４Ｂ、４Ｃ、４Ｄ、４Ｆ  セディメントフィルター
５  医王石層
５Ａ  緑色医王石
５Ｂ  赤色医王石
６  マイナスイオン発生セラミック層
６Ａ  トルマリンセラミック
６Ｂ  長石セラミック
７  カーボン層
８  水道水
９  カーボンフィルター
１０  逆浸透膜フィルター
１１  純水
１２  紫外線フィルター
１３  貯水タンク
【図１】
2005161281.tif 000007
【図２】
2005161281.tif 000008